(57)【要約】  【課題】  原稿の読み取り面への光照射に起因する読み取り画像における滲みを抑制する。  【解決手段】  搬送されてくる原稿の画像を、ＣＩＳ５０を用いて読み取る場合、ＣＩＳ５０に設けられたＬＥＤアレイ５２によって原稿に光を照射し、原稿からの反射光をラインセンサ５４にて受光する。搬送されてくる原稿がトレーシングペーパのような薄紙で構成されている場合、本来原稿の他の面を読み取るために設けられた照明ランプ７４を突き当て部材６０の直下に移動させ、照明ランプ７４を点灯させた状態でＣＩＳ５０による画像読み取りを行う。照明ランプ７４から照射される光は、原稿を介して突き当て部材６０の原稿搬送面６０ａに照射され、ＬＥＤアレイ５２から照射されて原稿を透過した光によって突き当て部材６０の原稿搬送面６０ａに形成される原稿の像の影が打ち消される。  【選択図】  図７
2006014093.tif 000002
【特許請求の範囲】
【請求項１】
原稿に光を照射する第１の光源と、
前記第１の光源にて照射された原稿から反射する反射光を受光するセンサと、
原稿を挟んで前記センサに対向配置される対向部材と、
前記対向部材の前記センサとの対向面に光を照射する第２の光源と
を含む画像読み取り装置。
【請求項２】
前記第２の光源は、原稿を介して間接的に前記対向部材の前記対向面に光を照射することを特徴とする請求項１記載の画像読み取り装置。
【請求項３】
前記第２の光源は、原稿を構成する用紙の光透過率が高い場合に光を照射することを特徴とする請求項１記載の画像読み取り装置。
【請求項４】
原稿が搬送される搬送路と、
前記搬送路の一方の側から前記原稿の第１面を照射する第１の光源と当該原稿の第１面からの反射光を受光する第１のセンサとを備え、当該原稿の第１面の画像データを読み取る第１の読み取り部と、
前記搬送路の他方の側から前記原稿の第２面を照射する第２の光源と当該原稿の第２面からの反射光を受光する第２のセンサとを備え、当該原稿の第２面の画像データを読み取る第２の読み取り部と、
前記第２のセンサにて前記原稿の第２面の画像を読み取らずに前記第１のセンサにて前記原稿の第１面の画像を読み取る際に、前記第１の光源に加えて前記第２の光源を点灯させる制御部と
を含む画像読み取り装置。
【請求項５】
前記制御部は、前記第１の光源に加えて前記第２の光源を点灯させるに際して、前記第２の光源を所定の位置に移動させることを特徴とする請求項４記載の画像読み取り装置。
【請求項６】
前記制御部は、前記原稿の光透過率が所定の値よりも低い場合には当該第１の光源のみを点灯させることを特徴とする請求項４記載の画像読み取り装置。
【請求項７】
原稿が搬送される搬送路と、
前記搬送路の一方の側から前記原稿の第１面を照射する第１の光源と当該原稿の第１面からの反射光を受光する第１のセンサとを備え、当該原稿の第１面の画像データを読み取る第１の読み取り部と、
前記搬送路の他方の側から前記原稿の第２面を照射する第２の光源と当該原稿の第２面からの反射光を受光する第２のセンサとを備え、当該原稿の第２面の画像データを読み取る第２の読み取り部と、
原稿を構成する用紙の種類についての選択を受け付ける選択受付部と、
前記第２のセンサにて前記原稿の第２面の画像を読み取らずに前記第１のセンサにて前記原稿の第１面を読み取る際に、前記選択受付部にて受け付けられた前記用紙の種類に応じて前記第１の光源のみを点灯させるかあるいは当該第１の光源および前記第２の光源を点灯させるかを設定する設定部と
を含む画像読み取り装置。
【請求項８】
前記設定部は、前記選択受付部にて前記用紙として薄紙以外の選択を受け付けた場合に、前記第１の光源のみを点灯させ、当該選択受付部にて当該用紙として薄紙の選択を受け付けた場合に、前記第１の光源および前記第２の光源を点灯させることを特徴とする請求項７記載の画像読み取り装置。
【請求項９】
原稿の一度の搬送で原稿の両面に形成されたそれぞれの画像を読み取る画像読み取り装置における画像読み取り方法であって、
片面にのみ画像が形成された原稿を読み取る際に、当該画像が形成された原稿面に対して光を照射すると共に、画像が形成されない他の原稿面に対しても光を照射すること
を特徴とする画像読み取り方法。
【発明の詳細な説明】
【技術分野】
【０００１】
本発明は、原稿上の画像を読み取る画像読み取り装置に係り、より詳しくは、光源を用いて原稿に光を照射し、原稿からの反射光を受光して画像を読み取る画像読み取り装置に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置では、副走査方向に搬送される原稿に対し、原稿の主走査方向に沿って延設される光源によって光を照射し、照射された原稿から反射した反射光をイメージセンサにて受光することで、原稿上の画像を読み取っている(例えば、特許文献１参照)。
【０００３】
【特許文献１】特開２００２−３００３９４号公報(第３頁、図１)
【発明の開示】
【発明が解決しようとする課題】
【０００４】
ところで、上述したような画像読み取り装置では、原稿として普通紙を使用できる他に、例えばトレーシングペーパ等の薄紙も使用できるようになっている。
しかしながら、原稿として後者の薄紙を用いた場合には、以下のような不具合が生じる。薄紙の場合、光源から照射される光が原稿を透過しやすい。そして、光が原稿を透過すると、透過した光が読み取り位置の背部に設けられた背景部材(例えば上記特許文献１では搬送ドラム)で反射し、再び原稿を透過してセンサにより受光されてしまうという事態が生じる。このとき、センサでは、原稿の像に加えて背景部材に形成された原稿の像の影も像として取得することになってしまい、その結果、読み取られた画像に滲みが生じてしまう。
【０００５】
このような滲みの発生を防止するためには、例えば、原稿を背景部材に密着させた状態で搬送しながら読み取りを行うことが考えられるが、原稿と背景部材との隙間をなくすことは物理的に困難である。また、受光センサによって読み取られた画像データに対してＴＩ分離(テキスト−イメージ分離)処理などの画像処理を施すことによって滲みを取り除くことも考えられるが、発生した滲みを完全に除去することは非常に困難である。
なお、このような問題は、原稿に照射される光量と原稿を構成する用紙の透過率との関係によって決定されるものであることから、原稿としてトレーシングペーパ等の薄紙を使用する場合に限られるものではなく、普通紙等を使用する場合においても生じ得るものである。
【０００６】
本発明は、かかる技術的課題を解決するためになされたものであって、その目的とするところは、原稿の読み取り面への光照射に起因する読み取り画像における滲みを抑制することにある。
【課題を解決するための手段】
【０００７】
かかる目的のもと、本発明が適用される画像読み取り装置は、原稿に光を照射する第１の光源と、第１の光源にて照射された原稿から反射する反射光を受光するセンサと、原稿を挟んでセンサに対向配置される対向部材と、対向部材のセンサとの対向面に光を照射する第２の光源とを含んでいる。
ここで、第２の光源は、原稿を介して間接的に対向部材の対向面に光を照射することを特徴とすることができる。また、第２の光源は、原稿を構成する用紙の光透過率が高い場合に光を照射することを特徴とすることができる。
【０００８】
また、他の観点から捉えると、本発明が適用される画像読み取り装置は、原稿が搬送される搬送路と、搬送路の一方の側から原稿の第１面を照射する第１の光源と原稿の第１面からの反射光を受光する第１のセンサとを備え、原稿の第１面の画像データを読み取る第１の読み取り部と、搬送路の他方の側から原稿の第２面を照射する第２の光源と原稿の第２面からの反射光を受光する第２のセンサとを備え、原稿の第２面の画像データを読み取る第２の読み取り部と、第２のセンサにて原稿の第２面の画像を読み取らずに第１のセンサにて原稿の第１面の画像を読み取る際に、第１の光源に加えて第２の光源を点灯させる制御部とを含んでいる。
ここで、制御部は、第１の光源に加えて第２の光源を点灯させるに際して、第２の光源を所定の位置に移動させることを特徴とすることができる。また、制御部は、原稿の光透過率が所定の値よりも低い場合には第１の光源のみを点灯させることを特徴とすることができる。
【０００９】
さらに、他の観点から捉えると、本発明が適用される画像読み取り装置は、原稿が搬送される搬送路と、搬送路の一方の側から原稿の第１面を照射する第１の光源と原稿の第１面からの反射光を受光する第１のセンサとを備え、原稿の第１面の画像データを読み取る第１の読み取り部と、搬送路の他方の側から原稿の第２面を照射する第２の光源と原稿の第２面からの反射光を受光する第２のセンサとを備え、原稿の第２面の画像データを読み取る第２の読み取り部と、原稿を構成する用紙の種類についての選択を受け付ける選択受付部と、第２のセンサにて原稿の第２面の画像を読み取らずに第１のセンサにて原稿の第１面を読み取る際に、選択受付部にて受け付けられた用紙の種類に応じて第１の光源のみを点灯させるかあるいは第１の光源および第２の光源を点灯させるかを設定する設定部とを含んでいる。
ここで、設定部は、選択受付部にて用紙として薄紙以外の選択を受け付けた場合に、第１の光源のみを点灯させ、選択受付部にて用紙として薄紙の選択を受け付けた場合に、第１の光源および第２の光源を点灯させることを特徴とすることができる。
【００１０】
さらにまた、他の観点から捉えると、本発明が適用される画像読み取り方法は、原稿の一度の搬送で原稿の両面に形成されたそれぞれの画像を読み取る画像読み取り装置における画像読み取り方法であって、片面にのみ画像が形成された原稿を読み取る際に、画像が形成された原稿面に対して光を照射すると共に、画像が形成されない他の原稿面に対しても光を照射することを特徴としている。
【発明の効果】
【００１１】
本発明によれば、原稿の透過する光によって生じる影を打ち消すことで、読み取り画像における滲みを抑制することができる。
【発明を実施するための最良の形態】
【００１２】
以下、添付図面を参照して、本発明を実施するための最良の形態(以下、実施の形態という)について詳細に説明する。
図１は本実施の形態が適用される画像読み取り装置を示した図である。この画像読み取り装置は、積載された原稿束から原稿を順次、搬送する原稿送り装置１０、スキャンによって画像を読み込むスキャナ装置７０、および読み込まれた画像信号を処理する処理装置８０に大別される。
【００１３】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により上昇された原稿トレイ１１の原稿をさらに下流側まで搬送するフィードロール１４、ナジャーロール１３により供給される原稿を一枚ずつに捌くリタードロール１５を備えている。最初に原稿が搬送される搬送路としての第１搬送路３１には、一枚ずつに捌かれた原稿を下流側のロールまで搬送するテイクアウェイロール１６、原稿をさらに下流側のロールまで搬送すると共にループ形成を行うプレレジロール１７、一旦停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿をさらに下流に搬送するアウトロール２０を備えている。また、搬送路としての第１搬送路３１には、搬送される原稿のループ状態に応じて支点を中心に回動するバッフル４１を備えている。さらに、プラテンロール１９とアウトロール２０との間には、第１の読み取り部としてのＣＩＳ(Contact Image Sensor)５０が設けられている。
【００１４】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿をスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。そして、第３搬送路３３、第４搬送路３４、第５搬送路３５によって反転搬送路が構成される。
【００１５】
ナジャーロール１３は、待機時にはリフトアップされて待避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを形成する。レジロール１８では、ループ形成時に、レジロール１８に噛み込んだ原稿先端をニップ位置まで戻している。このループが形成されると、バッフル４１は支点を中心として開き、原稿に形成されるループを妨げることのないように機能している。また、テイクアウェイロール１６およびプレレジロール１７は、読み込み中における原稿のループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって原稿が第２プラテンガラス７２Ｂ(後述)に押圧されて、後述するＣＣＤイメージセンサ７８によって下面方向から画像データが読み込まれる。
【００１６】
搬送路切替ゲート４２は、アウトロール２０を経由した原稿を第２搬送路３２に導き、排出トレイ４０に排出するように、あるいは、原稿を反転させるために第３搬送路３３に原稿を導くように切り替えられる。インバータピンチロール２３は、両面原稿の順次読み取り時に、フィードクラッチ(図示せず)がオフの状態でリトラクトされてニップが開放され、原稿を第４搬送路(インバータパス)３４へ導いている。その後、このインバータピンチロール２３はニップされ、インバータロール２２によってインバートする原稿をプレレジロール１７へと導き、また、反転排出する原稿を第６搬送路３６の第２排出ロール２４まで搬送している。
【００１７】
第２の読み取り部としてのスキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を有する第２プラテンガラス７２Ｂを備えている。
【００１８】
また、スキャナ装置７０は、第２プラテンガラス７２Ｂの下に静止し、および第１プラテンガラス７２Ａの全体にわたってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する第２の光源としての照明ランプ７４、原稿から得られた反射光を受光する第１ミラー７６Ａが備えられている。さらに、ハーフレートキャリッジ７５には、第１ミラー７６Ａから得られた光を結像部へ提供する第２ミラー７６Ｂおよび第３ミラー７６Ｃが備えられている。さらにまた、スキャナ装置７０は、第３ミラー７６Ｃから得られた光学像を光学的に縮小する結像用レンズ７７、結像用レンズ７７によって結像された光学像を光電変換する第２のセンサとしてのＣＣＤ(Charge Coupled Device)イメージセンサ７８、ＣＣＤイメージセンサ７８が装着される駆動基板７９を備え、ＣＣＤイメージセンサ７８によって得られた画像信号が駆動基板７９を介して処理装置８０に送られる。つまり、スキャナ装置７０では、所謂縮小光学系を用いてイメージセンサとしてのＣＣＤイメージセンサ７８に像を結像させている。
【００１９】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)にフルレートキャリッジ７３を移動させ、原稿の次のラインを読み取る。これを原稿全体に亘って実行することで、１ページの原稿読み取りを完了させる。
【００２０】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。すなわち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、この原稿が第２プラテンガラス７２Ｂの読み取り位置を通過することによって、副走査方向に亘って１ページの原稿読み取りを完了させる。
【００２１】
本実施の形態では、フルレートキャリッジ７３とハーフレートキャリッジ７５とを停止させ、第２プラテンガラス７２ＢにてＣＣＤイメージセンサ７８により原稿の第２面の読み取りを行う原稿の搬送時に、同時(時間の完全一致ではなく、同一の原稿搬送時程度の意味)にＣＩＳ５０によって、原稿の第１面の読み取りを行うことが可能である。
【００２２】
図２は、ＣＩＳ５０を用いた読み取り構造を説明するための図である。図２に示すように、ＣＩＳ５０は、プラテンロール１９とアウトロール２０との間に設けられる。原稿の片面(第２面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、他の片面(第１面)の画像が読み込まれる。このＣＩＳ５０は、搬送路に対向配置されるガラス５１と、このガラス５１を透過して原稿の第１面に光を照射する第１の光源としてのＬＥＤ(Light Emitting Diode)アレイ５２と、ＬＥＤアレイ５２からの反射光を集光するセルフォックレンズ(登録商標)５３と、このセルフォックレンズ５３により集光された光を読み取る第１のセンサ(センサ)としてのラインセンサ５４とを備えている。ラインセンサ５４としては、ＣＣＤやＣＭＯＳ(Complementary Metal Oxide Semiconductor)センサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４とによる密着光学系を用いて画像の取り込みを行うことから、構造をシンプルにすることができ、且つ、筐体を小型化し、消費電力を低減することができる。なお、カラー画像を読み込む場合には、ＬＥＤアレイ５２にＲ(赤)Ｇ(緑)Ｂ(青)の３色のＬＥＤ光源を組み合わせ、ラインセンサ５４としてＲＧＢ３色用の３列一組のセンサを用いればよい。第２面の画像の読み込みと同様に、１次元のラインセンサ５４によって主走査方向１ライン分を同時に処理した後、搬送される原稿における次の主走査方向の１ラインが読み込まれる。このようにして、搬送される原稿の片面について、副走査方向に亘って１ページの原稿読み取りを行う。
【００２３】
また、ＣＩＳ５０による画像読み取りに際して、この読み取り部を構成する搬送路に、ＣＩＳ５０の筐体から延びる制御部材５５、制御部材５５によって押しつけられた原稿が突き当てられる対向部材としての突き当て部材６０を備えている。また、この突き当て部材６０の下流側にはガイド部材６１が設けられている。制御部材５５および突き当て部材６０は、原稿の搬送路に直交する方向(すなわち、原稿送り装置１０の前面から後面の方向)に、原稿送り装置１０の前面から後面まで、搬送路の位置に対応して設けられている。
【００２４】
さらに、ＣＩＳ５０は、光学結像レンズにセルフォックレンズ５３を採用していることから、焦点(被写界)深度が±０.３ｍｍ程度と浅く、スキャナ装置７０を用いた場合に比べて約１/１３以下の深度となっている。このため、ＣＩＳ５０による読み取りに際しては、原稿の読み取り位置を所定の狭い範囲内に定めることが要求される。そこで、本実施の形態では、搬送路に面して制御部材５５を設け、原稿を制御部材５５によって突き当て部材６０に押し当てて搬送し、プラテンロール１９とアウトロール２０との間にある原稿の姿勢を安定的に制御できるように構成した。図２の二点鎖線矢印は、制御部材５５を設けた場合の原稿の動きを示したものである。原稿が制御部材５５によって突き当て部材６０に押し当てられつつ搬送されていることが理解できる。すなわち、制御部材５５によって搬送される原稿を突き当て部材６０に押し当てられた状態で読み取ることで、被写界深度の浅いＣＩＳ５０を用いた場合のピントの甘さを改善している。
【００２５】
次に、図１に示す処理装置８０について説明する。
図３は、処理装置８０を説明するためのブロック図である。本実施の形態が適用される処理装置８０は、大きく、センサ(ＣＣＤイメージセンサ７８およびＣＩＳ５０(ラインセンサ５４))から得られた画像情報を処理する信号処理部８１と、原稿送り装置１０およびスキャナ装置７０を制御する制御部９０とを備えている。信号処理部８１は、原稿の片面を読み取るＣＣＤイメージセンサ７８および他の片面を読み取るＣＩＳ５０のラインセンサ５４からの各々の出力に対して所定の画像処理を施す機能を有している。この信号処理部８１は、ラインセンサ５４からの出力に対してアナログ信号の処理を行うＡＦＥ(Analog Front End)８２、アナログ信号をディジタル信号に変換するＡＤＣ(Analog Digital Converter)８３を有している。ただし、これらの機能は、ＣＩＳ５０の内部にて処理されるように構成することもできる。また、信号処理部８１は、ＣＣＤイメージセンサ７８からの出力に対してアナログ信号の処理を行うＡＦＥ８４、アナログ信号をディジタル信号に変換するＡＤＣ８５を有している。
【００２６】
さらに、信号処理部８１は、ディジタル信号に対してシェーディング補正やオフセット補正等の各種処理を施す画像処理回路が２系統備えられており、ＣＣＤイメージセンサ７８にて読み込まれた片面の画像データに対して画像処理を施す第１画像処理回路１００、ＣＩＳ５０にて読み込まれた他の片面の画像データに対して画像処理を施す第２画像処理回路２００を備えている。これらの画像処理回路からの出力は、例えばプリンタ等のＩＯＴ(Image Output Terminal)や、パーソナルコンピュータ(ＰＣ)等のホストシステムへ出力される。
【００２７】
一方、制御部、選択受付部および設定部としての制御部９０は、両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ/ＣＩＳコントロール９２、読み取りタイミングに合わせてＣＩＳ５０のＬＥＤアレイ５２やフルレートキャリッジ７３の照明ランプ７４を制御するランプコントロール９３、スキャナ装置７０におけるモータのオン/オフなどを行いフルレートキャリッジ７３およびハーフレートキャリッジ７５によるスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。
【００２８】
図４は、図３に示す画像読み取りコントロール９１によって実行される処理の一例を示したフローチャートである。画像読み取りコントロール９１では、まず、原稿を原稿固定読み取りするのか、原稿流し読み取りするのかが判断される(ステップ１０１)。この判断は、例えば、スキャナ装置７０上に設けられたコントロールパネル(図示せず)を用いたユーザからの選択によって認識することができる。また、ホストシステムからの要請や、ネットワーク等を介したユーザからの選択なども考えられる。このステップ１０１で原稿固定読み取りと判断される場合には、原稿固定(第１プラテンガラス７２Ａに原稿を載置して固定)による片面読み取りが行われる(ステップ１０２)。この原稿固定による片面読み取りでは、上述した手順でフルレートキャリッジ７３およびハーフレートキャリッジ７５を移動させながら、ＣＣＤイメージセンサ７８による読み取りがなされる。
【００２９】
一方、ステップ１０１において原稿流し読み取りと判断される場合には、次に、搬送される原稿、すなわち、原稿トレイ１１に載置される原稿が片面原稿か否かが判断される(ステップ１０３)。この判断も、例えば、スキャナ装置７０上に設けられたコントロールパネル(図示せず)を用いたユーザからの選択によって認識することができる。
【００３０】
ここで、ステップ１０３で片面原稿ではない場合、即ち、両面原稿である場合には、原稿が白・黒原稿であるか否かが判断される(ステップ１０４)。このステップ１０４の判断は、ステップ１０３と同様に、スキャナ装置７０上に設けられたコントロールパネル(図示せず)を用いたユーザからの選択に基づいてなされる。カラー原稿であってもユーザが白・黒読み取りを望む場合もある。白・黒読み取りを行わない場合、即ち、カラー読み取りを行う場合には、次に画質が重視されるか否かが判断される(ステップ１０５)。例えば、カラー写真やパンフレット等のカラー画像の場合には、一般に、読み取り速度を上げる生産性よりも画質が重視される。かかる判断もユーザの設定によってなされる。このステップ１０５で画質を重視すると判断される場合には、反転パスによる両面読み取りが実行される(ステップ１０６)。即ち、ＣＩＳ５０による読み取りを行わず、原稿の第１面および原稿の第２面を共にＣＣＤイメージセンサ７８によって読み取るのである。これによって、原稿の第１面および原稿の第２面に対し、共に、焦点深度の深い読み取り手段を用いた高画質な両面読み取りが可能となる。
【００３１】
一方、ステップ１０４で白・黒読み取りを行う場合、または、ステップ１０５で、カラー画像出力を必要とする場合であっても、例えばビジネスカラー等の微妙な色合い等が重視されない場合や、プラス１カラーの場合(黒以外に赤や青等、他の１色のカラーを含む場合)など、画質をあまり重視せず、生産性等の他の要因が重視される場合には、反転パスを用いない、１パスによる両面同時読み取りが行われる(ステップ１０７)。即ち、ＣＣＤイメージセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿詰まり(ＪＡＭ)等の原稿搬送トラブルを抑制することができる。尚、前述したように、「同時読み取り」とは、必ずしも時間的に一致する場合を意味するものではなく、両面を１回のパスにてほぼ同時期に読み取るという意味である。
【００３２】
また、上述したステップ１０３において、片面原稿である場合には、次に、原稿を校正する用紙がトレーシングペーパであるか否かが判断される(ステップ１０８)。このステップ１０８の判断は、スキャナ装置７０上に設けられたコントロールパネル(図示せず)を用いたユーザからの選択に基づいてなされる。そして、ステップ１０８で原稿がトレーシングペーパ(薄紙)である場合には、ＣＩＳ５０を用いた１パスによる片面読み取りが行われる(ステップ１０９)。このＣＩＳ５０を用いた１パスによる片面読み取りでは、原稿トレイ１１上に、下向きに片面の原稿部分が存在するように載置し、この状態で原稿を搬送して読み取りが行われる。一方、ステップ１０８で原稿がトレーシングペーパでない場合には、ＣＣＤイメージセンサ７８を用いた１パスによる片面読み取りが行われる(ステップ１１０)。このＣＣＤイメージセンサ７８を用いた１パスによる片面読み取りでは、原稿トレイ１１上に、上向きに片面の原稿部分が存在するように載置し、この状態で原稿を搬送して読み取りが行われる。
【００３３】
尚、図４に示す処理フローを簡潔化し、両面原稿読み取りにおいて、白黒原稿の読み取りの場合には、ステップ１０７の両面同時読み取りを実行し、カラー原稿の場合には、ステップ１０６の反転パスによって順次、原稿を読み取るように構成することも可能である。また、原稿面の種類に応じて、これらのモードをミックスして用いることもできる。
【００３４】
次に、原稿流し読み取りの各原稿読み取りモードにおける原稿の搬送方法について、図５および図６を用いて説明する。
図５(ａ),(ｂ)は、図４のステップ１０９、ステップ１１０に示した１パスによる片面読み取りモードと、ステップ１０７に示した１パスによる両面同時読み取りモードの原稿パスを示した図である。図５(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図５(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、図１に示すスキャナ装置７０のＣＣＤイメージセンサ７８(原稿がトレーシングペーパ以外の場合)またはＣＩＳ５０(原稿がトレーシングペーパの場合)を用いた読み取りがなされる。また、１パスによる両面同時読み取りの場合には、スキャナ装置７０のＣＣＤイメージセンサ７８を用いて第２面を読み取り、同一搬送時にＣＩＳ５０を用いて第１面を読み取る。これによって、１回の原稿パスによって両面の原稿読み取りを行うことが可能となる。
【００３５】
図６(ａ)〜(ｄ)は、図４のステップ１０６に示した反転パスによる両面読み取りモードを説明するための図である。図６(ａ)に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図６(ｂ)に示すように、インバータロール２２およびインバータピンチロール２３によってスイッチバックし、第５搬送路３５に供給される。
【００３６】
第５搬送路３５に供給された原稿は、再度、第１搬送路３１に供給される。そして、図６(ｃ)に示すように、原稿がスキャナ装置７０のＣＣＤイメージセンサ７８によって下方から読み取られる。このとき、原稿は、図６(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図６(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図６(ｄ)に示すように出口切替ゲート４３によって第６搬送路３６を経由し排出トレイ４０に排出される。これによって、原稿における表裏両面の画像を順次、読み取る第１の両面読み取りモードにおいて、読み取り後の原稿のページ順を揃えることが可能となる。
【００３７】
図７は、上述したステップ１０９におけるＣＩＳ５０を用いた１パスによる片面読み取りを説明するための図である。
本実施の形態に係る画像読み取り装置では、ＣＩＳ５０を用いた１パスによる片面読み取りを行う場合、つまり、トレーシングペーパに片面画像が形成された原稿を流し読み取りする際に、フルレートキャリッジ７３を突き当て部材６０の直下に移動させ、かつ、フルレートキャリッジ７３に設けられた照明ランプ７４を点灯させている。照明ランプ７４により照射される光は、第１プラテンガラス７２Ａおよび第２プラテンガラス７２Ｂを介して、搬送される原稿(トレーシングペーパ)の裏面側に回り込み、反射、散乱等によって間接的に突き当て部材６０の原稿搬送面６０ａにも照射される。
【００３８】
ここで、図８は、読み取られた画像データに滲みが生じる原因を説明するための模式図である。ＣＩＳ５０を用いて画像を読み取る場合において、ＬＥＤアレイ５２から原稿に向けて照射された光は、原稿に形成された像に応じて反射され、ラインセンサ５４によって受光される。具体的には、像が形成された部位は反射光量が少なく、像が形成されていない白地の部位は反射光量が多くなる。また、ＬＥＤアレイ５２から原稿に向けて照射された光の一部は、原稿を構成するトレーシングペーパを透過して突き当て部材６０の原稿搬送面６０ａに到達し、原稿搬送面６０ａで反射されて、再びトレーシングペーパを透過した後にラインセンサ５４によって受光される。一般に、ＬＥＤアレイ５２およびラインセンサ５４を同一位置に配置することは困難であり、通常はラインセンサ５４に対してＬＥＤアレイ５２を副走査方向にずらして配置している。このため、突き当て部材６０の原稿搬送面６０ａには、ＬＥＤアレイ５２による光照射に伴って実際の原稿の像の位置からずれた位置に原稿の像部分の影が形成される。すると、ラインセンサ５４には、原稿搬送面６０ａから副走査方向のずれが生じた状態で反射光が受光されることになる。その結果、ラインセンサ５４に受光される画像には、原稿からの像に隣接して原稿搬送面６０ａからの像も存在することになってしまい、滲みが生じてしまう。
【００３９】
これに対し、本実施の形態では、ＣＩＳ５０による片面読み取り時に、照明ランプ７４によって間接的に原稿搬送面６０ａにも光照射を行うようにした。これにより、ＬＥＤアレイ５２から照射され原稿を透過した光によって突き当て部材６０の原稿搬送面６０ａに形成される原稿の像の影は打ち消されることになる。その結果、原稿搬送面に６０ａに形成された影がラインセンサ５４で受光されること、および、これに伴って生じる画像の滲みを防止することが可能になる。
また、滲みの原因となる影が発生しないことから、複雑な画像処理やパラメータ設定等を行う必要がなく、構成を簡易化できると共にかかるコストも低く抑えることができる。
特に、本実施の形態では、ＣＩＳ５０による読み取り面とは異なる他の面を読み取るために設けられた照明ランプ７４を用いて原稿搬送面６０ａに光を照射しているので、新たな光源を設ける必要がないという利点がある。
さらに、本実施の形態では、影の発生を抑えるために、原稿と原稿搬送面６０ａとの隙間を狭くする必要がないことから、さまざまな厚みを有する原稿を流し読み取りすることが可能になる。
【図面の簡単な説明】
【００４０】
【図１】実施の形態に係る画像読み取り装置を示した図である。
【図２】ＣＩＳを用いた読み取り構造を説明するための図である。
【図３】処理装置を説明するための図である。
【図４】画像読み取りコントロールによって実行される処理の一例を示したフローチャートである。
【図５】(ａ),(ｂ)は、１パスによる片面読み取りモードと、１パスによる両面同時読み取りモードの原稿パスとを説明するための図である。
【図６】(ａ)〜(ｄ)は、反転パスによる両面読み取りを説明するための図である。
【図７】ＣＩＳを用いた１パスによる片面読み取りを説明するための図である。
【図８】読み取られた画像データに滲みが生じる原因を説明するための図である。
【符号の説明】
【００４１】
１０…原稿送り装置、１１…原稿トレイ、３１…第１搬送路、３２…第２搬送路、３３…第３搬送路、３４…第４搬送路、３５…第５搬送路、３６…第６搬送路、４０…排出トレイ、５０…ＣＩＳ、５１…ガラス、５２…ＬＥＤアレイ、５３…セルフォックレンズ、５４…ラインセンサ、７０…スキャナ装置、７８…ＣＣＤイメージセンサ、８０…処理装置、８１…信号処理部、９０…制御部、９１…画像読み取りコントロール、９２…ＣＣＤ/ＣＩＳコントロール、９３…ランプコントロール、９４…スキャンコントロール、９５…搬送機構コントロール、１００…第１画像処理回路、２００…第２画像処理回路
【図１】
2006014093.tif 000003
【図２】
2006014093.tif 000004
【図３】
2006014093.tif 000005
【図４】
2006014093.tif 000006
【図５】
2006014093.tif 000007
【図６】
2006014093.tif 000008
【図７】
2006014093.tif 000009
【図８】
2006014093.tif 000010